(57)【要約】【課題】薬剤を保持する容器に装着される容器側装着具に対するシリンジの接続を容易かつ適切に行うことを可能にするシリンジ接続具を提供する。【解決手段】シリンジ接続具１００は、薬剤を保持する２以上の容器４１０、４２０に装着される容器側装着具２００に接続可能な接続具であり、第１シリンジ３１０の先端部３１１ａに接続可能であり、かつ、容器側装着具が備える第１被接続部２２１ａに第１シリンジを接続可能にする第１接続部１１０と、第２シリンジ３２０の先端部３２１ａに接続可能であり、かつ、容器側装着具が備える第２被接続部２２１ｂに第２シリンジを接続可能にする第２接続部１２０と、第１接続部と第２接続部を連結する連結部１３０と、を有し、第１接続部の形状と第２接続部の形状が相互に異なる形状に構成されてなる。【選択図】図１
2020156923.tif 000002
【特許請求の範囲】
【請求項１】
薬剤を保持する２以上の容器に装着される容器側装着具に接続可能な接続具であって、
第１シリンジの先端部に接続可能であり、かつ、前記容器側装着具が備える第１被接続部に前記第１シリンジを接続可能にする第１接続部と、
第２シリンジの先端部に接続可能であり、かつ、前記容器側装着具が備える第２被接続部に前記第２シリンジを接続可能にする第２接続部と、
前記第１接続部と前記第２接続部を連結する連結部と、を有し、
前記第１接続部の形状と前記第２接続部の形状とが相互に異なる形状に構成されてなることを特徴とする、シリンジ接続具。
【請求項２】
前記第１接続部と前記第２接続部は、前記容器側装着具に対する装着方向から視た平面形状が異なることを特徴とする、請求項１に記載のシリンジ接続具。
【請求項３】
前記第１接続部の平面形状と、前記第２接続部の平面形状とは、相互に重合しない形状であることを特徴とする、請求項２に記載のシリンジ接続具。
【請求項４】
前記第１接続部の平面形状は略円形であり、
前記第２接続部の平面形状は略矩形であることを特徴とする、請求項２または３に記載のシリンジ接続具。
【請求項５】
前記連結部は、
前記第１シリンジの筒体の外周面の少なくとも一部を覆うように配置される第１ガイド部と、
前記第２シリンジの筒体の外周面の少なくとも一部を覆うように配置される第２ガイド部と、
前記第１ガイド部と前記第２ガイド部との間に配置され、前記第１ガイド部と前記第２ガイド部とを連結する支持部と、を有することを特徴とする、請求項１〜４のいずれか１項に記載のシリンジ接続具。
【請求項６】
前記第１接続部の少なくとも一部の色と前記第２接続部の少なくとも一部の色が異なることを特徴とする、請求項１〜５のいずれか１項に記載のシリンジ接続具。
【請求項７】
前記第１シリンジが備える基端フランジ部と前記第２シリンジが備える基端フランジ部とを連結する連結補助部材を有することを特徴とする、請求項１〜６のいずれか１項に記載のシリンジ接続具。
【発明の詳細な説明】
【技術分野】
【０００１】
本発明は、シリンジに接続して使用されるシリンジ接続具に関する。
【背景技術】
【０００２】
患者の体内に癒着防止材や生体組織接着材等の塗付材を投与する際に使用される医療用の塗布具が知られている（例えば、特許文献１を参照）。
【０００３】
医師等の術者は、塗布具の使用に際し、薬剤が保存されたバイアル（容器）内へ所定量の溶解液等の液体を注入し、薬剤と液体をバイアル内で混ぜ合わせて撹拌することにより、薬剤を溶解させたり、希釈させたりする。二種以上の薬剤で構成される塗布材を使用する場合、異なる薬剤が保存された二つ以上のバイアルが準備される。
【先行技術文献】
【特許文献】
【０００４】
【特許文献１】特開２００９−２２６１８９号公報
【発明の概要】
【発明が解決しようとする課題】
【０００５】
術者は、バイアル内へ液体を注入する際、シリンジを使用することがある。術者は、二種以上の薬剤を使用する場合、二つ以上のバイアルの各々へ液体を注入する。一般的に、塗布材に使用される薬剤は、種類毎に希釈後の濃度の適正値が異なる。そのため、術者は、容積の異なる複数のシリンジを準備し、各バイアルへ各々のシリンジを接続する。バイアルとシリンジとの接続は、バイアルに装着された装着具を介して行われる。術者は、バイアルに装着された装着具に対してシリンジを嵌め込むにより、バイアルとシリンジを簡単に接続することができる。
【０００６】
しかしながら、複数のバイアルの各々に対してシリンジを接続させる場合、術者は、バイアルとシリンジの適切な組み合わせを目視により容易に判別することができない可能性がある。また、そのような場合、塗布具を使用するための準備作業に手間が掛かり、手技時間の長時間化を招く虞がある。
【０００７】
本発明は上記の課題を鑑みてなされたものであり、薬剤を保持する容器に装着される容器側装着具に対するシリンジの接続を容易かつ適切に行うことを可能にするシリンジ接続具を提供することを目的とする。
【課題を解決するための手段】
【０００８】
本発明に係るシリンジ接続具は、薬剤を保持する２以上の容器に装着される容器側装着具に接続可能な接続具であって、第１シリンジの先端部に接続可能であり、かつ、前記容器側装着具が備える第１被接続部に前記第１シリンジを接続可能にする第１接続部と、第２シリンジの先端部に接続可能であり、かつ、前記容器側装着具が備える第２被接続部に前記第２シリンジを接続可能にする第２接続部と、前記第１接続部と前記第２接続部を連結する連結部と、を有し、前記第１接続部の形状と前記第２接続部の形状とが相互に異なる形状に構成されてなる。
【発明の効果】
【０００９】
本発明のシリンジ接続具によれば、薬剤を保持する容器に装着される容器側装着具に対するシリンジの接続を容易かつ適切に行うことができる。
【図面の簡単な説明】
【００１０】
【図１】実施形態に係るシリンジ接続具を示す概観斜視図である。
【図２】実施形態に係るシリンジ接続具を説明するための斜視図である。
【図３】変形例に係るシリンジ接続具を示す概観斜視図である。
【発明を実施するための形態】
【００１１】
以下、添付した図面を参照しながら、本発明の実施形態を説明する。なお、以下の記載は特許請求の範囲に記載される技術的範囲や用語の意義を限定するものではない。また、図面の寸法比率は説明の都合上誇張されており、実際の比率とは異なる場合がある。
【００１２】
シリンジ接続具１００は、図１に示すように、薬剤が保持された第１容器４１０及び第２容器４２０に装着される容器側装着具２００に対して各シリンジ３１０、３２０を接続するために使用される器具である。シリンジ接続具１００の使用用途は特に限定されないが、例えば、癒着防止材や生体組織接着材等の塗付材を投与する塗布具（スプレイヤー）の使用に際し、各容器４１０、４２０へ液体を供給する複数のシリンジ３１０、３２０に装着して使用することができる。
【００１３】
第１容器４１０は、内部に薬剤が保持されたバイアルである。第２容器４２０は、第１容器４１０に保持された薬剤と異なる種類の薬剤が内部に保持されたバイアルである。各容器４１０、４２０は、容器の口部に配置されたシール部材（図示省略）により密封されている。
【００１４】
第１容器４１０に保持される薬剤の種類及び第２容器４２０に保持される薬剤の種類は特に限定されないが、例えば、薬液を生体組織接着材とする場合、一方の容器に保持される薬剤をトロンビンとすることができ、他方の容器に保持される薬剤をフィブリノーゲンとすることができる。また、薬液を癒着防止材とする場合、一方の容器に保持される薬剤をスクシンイミジル基で修飾したカルボキシメチルデキストリンとすることができ、他方の容器に保持される薬剤を炭酸水素ナトリウムと炭酸ナトリウムとの混合物とすることができる。
【００１５】
各容器４１０、４２０に保持される薬剤の形態は、特に限定されないが、例えば、固体（錠剤、顆粒剤等）、粉体（散剤等）、液体である。
【００１６】
各容器４１０、４２０の内部は、後述する針部２３０、３４０が各容器４１０、４２０に配置されたシール部材を刺通するまでの間、陰圧に保つように構成することができる。これらの各容器４１０、４２０は、ＥＢ滅菌が施されている。
【００１７】
第１シリンジ３１０は、溶解液等の液体を保持する筒体３１１を備えている。筒体３１１の内部には押し子（図示省略）が挿入されている。第１シリンジ３１０は、筒体３１１の内部を押し子が前進することにより、第１シリンジ３１０の先端に設けられた先端開口部から液体を吐出させることができる。第１シリンジ３１０がプレフィルド型シリンジで構成される場合、第１シリンジ３１０の先端開口部には液体の漏洩を防止するシール部材を配置することができる。
【００１８】
第２シリンジ３２０は、溶解液等の液体を保持する筒体３２１を備えている。筒体３２１の内部には押し子（図示省略）が挿入されている。第２シリンジ３２０は、筒体３２１の内部を押し子が前進することにより、第２シリンジ３２０の先端に設けられた先端開口部から液体を吐出させることができる。第２シリンジ３２０がプレフィルド型シリンジで構成される場合、第２シリンジ３２０の先端開口部には液体の漏洩を防止するシール部材を配置することができる。
【００１９】
第１シリンジ３１０の筒体３１１の容積は、第２シリンジ３２０の筒体３２１の容積よりも小さい。第１シリンジ３１０から吐出される液体は、第１容器４１０の内部に注入される。第２シリンジ３２０から吐出される液体は、第２容器４２０の内部に注入される。
【００２０】
各シリンジ３１０、３２０が保持する液体の種類は、特に限定されないが、例えば、蒸留水である。
【００２１】
第１シリンジ３１０及び第２シリンジ３２０は、包装材に収納された状態（運搬及び搬送される際の状態）において液体を予め保持するプレフィルド型のシリンジとして構成することができる。また、シリンジ接続具１００は、プレフィルド型のシリンジとして準備された第１シリンジ３１０及び第２シリンジ３２０に、図１に示すように取り付けた状態で、各シリンジ３１０、３２０とともに包装材に収納することができる。また、各シリンジ３１０、３２０内部は、ＡＣ滅菌が施されている。
【００２２】
また、シリンジ接続具１００及び各シリンジ３１０、３２０の外部は、ＥＢ滅菌、ＥＯＧ滅菌、オートクレーブ滅菌等による滅菌を施されている。滅菌を施した上で、包装材に収納させることができる。これにより、術者は、各シリンジ３１０、３２０から各容器４１０、４２０への液体の注入を開始する際、包装材からシリンジ接続具１００及び各シリンジ３１０、３２０を取り出して、各シリンジ３１０、３２０をそのまま容器側装着具２００に接続させることができる。そのため、塗布具を使用した手技の準備作業がより一層簡便なものとなる。なお、シリンジ接続具１００と各シリンジ３１０、３２０は接着剤等により固定してもよい。
【００２３】
図１及び図２に示すように、シリンジ接続具１００は、第１シリンジ３１０の先端部３１１ａ（図２を参照）に接続可能であり、かつ、容器側装着具２００が備える第１被接続部２２１ａに第１シリンジ３１０を接続可能にする第１接続部１１０と、第２シリンジ３２０の先端部３２１ａに接続可能であり、かつ、容器側装着具２００が備える第２被接続部２２１ｂに第２シリンジ３２０を接続可能にする第２接続部１２０と、第１接続部１１０と第２接続部１２０を連結する連結部１３０と、を有している。
【００２４】
図１に示すように、第１接続部１１０の形状と第２接続部１２０の形状とは相互に異なる形状に構成されている。具体的には、第１接続部１１０は、略円柱形状の形状を有しており、第２接続部１２０は、略四角柱形状の形状を有する。
【００２５】
また、第１接続部１１０と第２接続部１２０は、容器側装着具２００に対する装着方向（図２の矢印Ａ１方向）から視た平面形状が異なる。第１接続部１１０の平面形状は略円形である。一方、第２接続部１２０の平面形状は略四角形（略矩形）である。
【００２６】
図２に示すように、第１接続部１１０は、第１シリンジ３１０の先端部３１１ａが挿入可能な挿入部１１１と、第１シリンジ３１０の先端部３１１ａに当接して挿入部１１１内への先端部３１１ａの挿入量を規定する段差部１１３と、挿入部１１１内へ第１シリンジ３１０を挿入可能にする開口部１１５と、段差部１１３の周囲で第１シリンジ３１０の先端部３１１ａと接触して摩擦力を生じさせる複数の凸部１１６と、を有している。
【００２７】
第１接続部１１０の挿入部１１１内に第１シリンジ３１０の先端部３１１ａを挿入することにより、第１接続部１１０に対して第１シリンジ３１０の先端部３１１ａを嵌め込むことができる。
【００２８】
術者は、第１接続部１１０の先端部（容器側装着具２００に接続される側の端部）を、容器側装着具２００が備える第１被接続部２２１ａの外周を覆うように配置することにより、第１接続部１１０を第１被接続部２２１ａに対して嵌合させることができる。第１被接続部２２１ａは、第１接続部１１０と平面視の形状が相似形状の円形に形成されている。そのため、術者は、第１接続部１１０を第１被接続部２２１ａに接続する際、第１接続部１１０の形状を目視で確認することにより、第１接続部１１０を第１被接続部２２１ａに接続すべきことを容易に判断することができる。したがって、術者は、第１接続部１１０を第２被接続部２２１ｂに誤って接続してしまうことを未然に防止することができる。
【００２９】
図２に示すように、第２接続部１２０は、第２シリンジ３２０の先端部３２１ａが挿入可能な挿入部１２１と、第２シリンジ３２０の先端部３２１ａに当接して挿入部１２１内への先端部３２１ａの挿入量を規定する段差部１２３と、挿入部１２１内へ第２シリンジ３２０を挿入可能にする開口部１２５と、段差部１２３の周囲で第２シリンジ３２０の先端部３２１ａと接触して摩擦力を生じさせる複数の凸部１２６と、を有している。
【００３０】
第２接続部１２０の挿入部１２１内に第２シリンジ３２０の先端部３２１ａを挿入することにより、第２接続部１２０に対して第２シリンジ３２０の先端部３２１ａを嵌め込むことができる。
【００３１】
術者は、第２接続部１２０の先端部（容器側装着具２００に接続される側の端部）を、容器側装着具２００が備える第２被接続部２２１ｂの外周を覆うように配置することにより、第２接続部１２０を第２被接続部２２１ｂに対して嵌合させることができる。第２被接続部２２１ｂは、第２接続部１２０と平面視の形状が相似形状の四角形に形成されている。そのため、術者は、第２接続部１２０を第２被接続部２２１ｂに接続する際、第２接続部１２０の形状を目視で確認することにより、第２接続部１２０を第２被接続部２２１ｂに接続すべきことを容易に判断することができる。したがって、術者は、第２接続部１２０を第１被接続部２２１ａに誤って接続してしまうことを未然に防止することができる。
【００３２】
第１接続部１１０の少なくとも一部の色と第２接続部１２０の少なくとも一部の色は、異なる色にすることができる。第１接続部１１０と第２接続部１２０を異なる色で構成する場合、例えば、第１接続部１１０を第１被接続部２２１ａと同じ色とし、第２接続部１２０を第２被接続部２２１ｂと同じ色とすることができる。なお、第１接続部１１０及び第２接続部１２０の具体的な色は特に限定されない。
【００３３】
図１及び図２に示すように、連結部１３０は、第１シリンジ３１０の筒体３１１の外周面の少なくとも一部を覆うように配置される第１ガイド部１３１と、第２シリンジ３２０の筒体３１１の外周面の少なくとも一部を覆うように配置される第２ガイド部１３２と、第１ガイド部１３１と第２ガイド部１３２との間に配置され、第１ガイド部１３１と第２ガイド部１３２とを連結する支持部１３３と、を有している。
【００３４】
第１ガイド部１３１は、筒体３１１の外周面の一部を覆うことが可能な円弧状に形成されている。第２ガイド部１３２は、筒体３２１の外周面の一部を覆うことが可能な円弧状に形成されている。支持部１３３は、第１ガイド部１３１と第２ガイド部１３２との間に延びる平板形状に形成されている。なお、第１ガイド部１３１が筒体３１１を覆う周方向の範囲及び第２ガイド部１３２が筒体３２１を覆う周方向の範囲は特に限定されない。
【００３５】
第１シリンジ３１０と第２シリンジ３２０は、連結部１３０により互いに連結されると、筒体３１１及び筒体３２１が所定の水平面（例えば、机台等の水平な面）に対して略垂直に延びる向きに保持される。そのため、術者は、図１に示すように、連結部１３０を介して連結された第１シリンジ３１０と第２シリンジ３２０を各容器４１０、４２０に装着された容器側装着具２００に向けて接近させることにより、各シリンジ３１０、３２０の姿勢を垂直に保った状態で、第１シリンジ３１０を第１容器４１０に接続することができ、第２シリンジ３２０を第２容器４２０に接続することができる。
【００３６】
シリンジ接続具１００（第１接続部１１０、第２接続部１２０、連結部１３０）の構成材料は特に限定されないが、例えば、ポリプロピレン、ポリエチレンテレフタレート、ポリメチルメタクリレート、ポリカーボネートや紫外線硬化樹脂等の樹脂材料、ガラス、セラミックスなどを使用することができる。
【００３７】
図２に示すように、容器側装着具２００には、第１針部２３０と第２針部２４０が保持されている。この容器側装着具２００は、第１針部２３０、第２針部２４０も含めて、ＥＢ滅菌、ＥＯＧ滅菌、オートクレーブ滅菌等による滅菌を施されている。
【００３８】
第１針部２３０は、シリンジ接続具１００が接続される側に向けて突出した第１穿刺部２３１と、第１穿刺部２３１の突出方向と反対側に突出した第２穿刺部（図示省略）と、を有する中空の両頭針で構成している。第２針部２４０は、シリンジ接続具１００が接続される側に向けて突出した第１穿刺部２４１と、第１穿刺部２４１の突出方向と反対側に突出した第２穿刺部（図示省略）と、を有する中空の両頭針で構成している。
【００３９】
各針部２３０は、容器側装着具２００が各容器４１０、４２０に接続されている状態で、かつ、容器側装着具２００にシリンジ接続具１００が接続されていない状態では、各容器４１０、４２０の口部に配置されたシール部材を刺通（貫通）しないように配置されている。術者が第１シリンジ３１０と第２シリンジ３２０とを接続したシリンジ接続具１００を容器側装着具２００に接続すると、第１針部２３０の第２穿刺部が第１容器４１０のシール部材を刺通し、第２針部２４０の第２穿刺部が第２容器４２０のシール部材を刺通する。術者が容器側装着具２００に接近する方向に向けてシリンジ接続具１００を移動させると、第１針部２３０の第１穿刺部２３１が第１シリンジ３１０のシール部材を刺通し、第２針部２４０の第１穿刺部２４１が第２シリンジ３２０のシール部材を刺通する。これにより、第１シリンジ３１０の筒体３１１の内部と第１容器４１０の内部が第１針部２３０を介して連通し、第２シリンジ３２０の筒体３２１の内部と第２容器４２０の内部が第２針部２４０を介して連通する。本実施形態では、各針部２３０、２４０が各容器４１０、４２０のシール部材を刺通する前の状態において、各容器４１０、４２０の内部が陰圧に保持されているため、第１シリンジ３１０の筒体３１１の内部と第１容器４１０の内部が第１針部２３０を介して連通すると、第１容器４１０の内部へ第１シリンジ３１０の筒体３１１内に保持された液体が移動する。同様に、第２シリンジ３２０の筒体３２１の内部と第２容器４２０の内部が第２針部２４０を介して連通すると、第２容器４２０の内部へ第２シリンジ３２０の筒体３２１内に保持された液体が移動する。
【００４０】
術者は、各容器４１０、４２０内に所定量の液体が注入された後、各容器４１０、４２０及び各シリンジ３１０、３２０からシリンジ接続具１００及び容器側装着具２００を取り外す。術者は、各シリンジ３１０、３２０と分離された各容器４１０、４２０を撹拌させて、各容器４１０、４２０内に保持された薬剤を溶解させたり、希釈させたりする。術者は、各容器４１０、４２０内に保持された薬剤を溶解や希釈させた後、所定のアタッチメント等を使用して、塗布具（図示しない）に各容器４１０、４２０を接続させる。
【００４１】
以上説明したように、本実施形態に係るシリンジ接続具１００は、薬剤を保持する２以上の容器４１０、４２０に装着される容器側装着具２００に接続可能である。そして、シリンジ接続具１００は、第１シリンジ３１０の先端部３１１ａに接続可能であり、かつ、容器側装着具２００が備える第１被接続部２２１ａに第１シリンジ３１０を接続可能にする第１接続部１１０と、第２シリンジ３２０の先端部３２１ａに接続可能であり、かつ、容器側装着具２００が備える第２被接続部２２１ｂに第２シリンジ３２０を接続可能にする第２接続部１２０と、第１接続部１１０と第２接続部１２０を連結する連結部１３０と、を有し、第１接続部１１０の形状と第２接続部１２０の形状とが相互に異なる形状に構成されてなる。
【００４２】
上記のシリンジ接続具１００によれば、術者は、第１接続部１１０を第１被接続部２２１ａに接続する際、第１接続部１１０の形状を目視により確認することにより、第１接続部１１０を第１被接続部２２１ａに接続すべきことを容易に判断することができる。また、術者は、第２接続部１２０を第２被接続部２２１ｂに接続する際、第２接続部１２０の形状を目視により確認することにより、第２接続部１２０を第２被接続部２２１ｂに接続すべきことを容易に判断することができる。したがって、術者は、薬剤を保持する各容器４１０、４２０に装着される容器側装着具２００に対する各シリンジ３１０、３２０の接続を容易かつ適切に行うことができる。
【００４３】
また、第１接続部１１０と第２接続部１２０は、容器側装着具２００に対する装着方向から視た平面形状が異なる。そのため、術者は、容器側装着具２００にシリンジ接続具１００を接続する際、目視により各接続部１１０、１２０を容易に判別することができる。それだけでなく、第１接続部１１０と第２接続部１２０の、容器側装着具２００に対する装着方向から見た平面形状は、相互に重なり合わないような形状（重合しない形状）になっている。そのため、万一術者が装着方向を間違って装着しようとした場合にも、シリンジ接続具１００は容器側装着具２００に嵌合することができないため、容器側装着具２００に誤った方向のまま装着されることがない。
【００４４】
また、第１接続部１１０の平面形状は略円形であり、第２接続部１２０の平面形状は略矩形である。そのため、術者は、容器側装着具２００にシリンジ接続具１００を接続する際、目視により各接続部１１０、１２０をより一層容易に判別することができるだけでなく、万一術者が装着方向を間違って装着しようとした場合にも、容器側装着具２００に誤った方向のまま装着されることがない。
【００４５】
また、連結部１３０は、第１シリンジ３１０の筒体３１１の外周面の少なくとも一部を覆うように配置される第１ガイド部１３１と、第２シリンジ３２０の筒体３２１の外周面の少なくとも一部を覆うように配置される第２ガイド部１３２と、第１ガイド部１３１と第２ガイド部１３２との間に配置され、第１ガイド部１３１と第２ガイド部１３２とを連結する支持部１３３と、を有する。連結部１３０は、第１シリンジ３１０と第２シリンジ３２０を連結することにより、各シリンジ３１０、３２０を水平面に対して垂直な姿勢で保持することができる。そのため、術者は、連結部１３０を介して連結された第１シリンジ３１０と第２シリンジ３２０を、各容器４１０、４２０に装着された容器側装着具２００に相対的に接近させることにより、各シリンジ３１０、３２０の姿勢を垂直に保った状態で、各シリンジ３１０、３２０を容器側装着具２００に容易に接続することができる。
【００４６】
また、第１接続部１１０の少なくとも一部の色と第２接続部１２０の少なくとも一部の色が異なる。そのため、術者は、目視により第１接続部１１０と第２接続部１２０をより確実に判別することができる。
【００４７】
次に、上述した実施形態の変形例に係るシリンジ接続具を説明する。変形例の説明では、前述した実施形態で既に説明した構成部材等についての詳細な説明は省略する。また、変形例の説明で特に説明がない内容については、前述した実施形態と同一のものとすることができる。
【００４８】
＜変形例＞
図３は、変形例に係るシリンジ接続具１００Ａを示す斜視図である。
【００４９】
図３に示すように、シリンジ接続具１００Ａは、第１シリンジ３１０が備える基端フランジ部３１１ｂと第２シリンジ３２０が備える基端フランジ部３２１ｂとを連結する連結補助部材１５０を有している。
【００５０】
第１シリンジ３１０の基端フランジ部３１１ｂは、筒体３１１の基端付近（押し子３１５が挿入される基端開口部付近）に設けられている。第２シリンジ３２０の基端フランジ部３２１ｂは、筒体３２１の基端付近（押し子３２５が挿入される基端開口部付近）に設けられている。
【００５１】
連結補助部材１５０は、第１シリンジ３１０の基端フランジ部３１１ｂを挿入可能な空間部１５１ａが形成された第１挿入部１５１と、第２シリンジ３２０の基端フランジ部３２１ｂを挿入可能な空間部１５２ａが形成された第２挿入部１５２と、第１挿入部１５１と第２挿入部１５２とを連結する支持部１５３と、を有している。
【００５２】
連結補助部材１５０の支持部１５３は、各筒体３１１、３２１の延伸方向（図３の上下方向）の異なる位置に配置された第１挿入部１５１と第２挿入部１５２を連結している。
【００５３】
第１シリンジ３１０と第２シリンジ３２０は、シリンジ接続具１００により連結され、さらに連結補助部材１５０により連結されることにより、水平面に対して略垂直な姿勢をより確実に維持することができる。また、第１シリンジ３１０と第２シリンジ３２０が不用意に分離することをより確実に防止することができる。また、第１シリンジ３１０と第２シリンジ３２０の間の距離が不用意に狭まったり、広がったりすることを防止できる。
【００５４】
以上、実施形態を通じて本発明に係る薬液投与装置を説明したが、本発明は実施形態で説明した内容のみに限定されるものでなく、特許請求の範囲の記載に基づいて適宜変更することが可能である。
【００５５】
実施形態では、二つの容器に対して二つのシリンジを接続可能に構成したシリンジ接続具を説明したが、シリンジ接続具は、少なくとも二つ以上の容器と二つ以上のシリンジとを接続するように構成されていればよく、例えば、シリンジ接続具は、三つ以上の容器と三つ以上のシリンジとを接続するように構成されていてもよい。なお、接続部が三つ以上のシリンジに接続可能に構成される場合、接続部には互いに形状が異なる三つ以上の接続部を設けることができる。
【００５６】
また、シリンジ接続具の具体的な構造は、第１接続部と第２接続部の形状が異なることで、使用者が目視により第１接続部と第２接続部を判別し得る限り特に限定されない。したがって、シリンジ接続具の各部の形状は、図面により説明した形状（外形形状及び平面形状）に限定されることはない。同様に、連結部及び補助連結具の形状や構造も実施形態において説明したものに限定されない。
【００５７】
また、容器側装着具の具体的な構造や仕様等は特に限定されない。また、シリンジ接続具の使用対象となるシリンジの構造や仕様等も特に限定されない。
【符号の説明】
【００５８】
１００、１００Ａ    シリンジ接続具、
１１０    第１接続部、
１２０    第２接続部、
１３０    連結部、
１３１    第１ガイド部、
１３２    第２ガイド部、
１３３    支持部、
１５０    連結補助部材、
１５１    第１挿入部、
１５２    第２挿入部、
１５３    支持部、
２００    容器側装着具、
２２１ａ  第１被接続部、
２２１ｂ  第２被接続部、
３１０    第１シリンジ、
３１１    第１シリンジの筒体、
３１１ａ  第１シリンジの先端部、
３１１ｂ  第１シリンジの基端フランジ部、
３２０    第２シリンジ、
３２１    第２シリンジの筒体、
３２１ａ  第２シリンジの先端部、
３２１ｂ  第２シリンジの基端フランジ部、
４１０    第１容器、
４２０    第２容器。
【図１】
2020156923.tif 000003
【図２】
2020156923.tif 000004
【図３】
2020156923.tif 000005